(57)【要約】【課題】ねじが受ける抵抗をできるだけ少なくし、孔あけとねじこみ速度をできるだけ速くし、必要なトークをできるだけ小さくするねじ山の構造を持つねじを提供する。【解決手段】ねじ１は、軸部１０と頭部とを持つ。軸部にはねじ山部２を持ち、ねじ山部の予定位置には各ねじ山部の軸部の中心線に対する角度と異なる角度の切り削りねじ山２１が設けられる。切り削りねじ山は、例えばねじ山部のほぼ中間部、または軸部下端の円錐形部１１などに設けられる。【選択図】図１
0003129477.tif 000002
【実用新案登録請求の範囲】
【請求項１】
軸部にはねじ山部を持ち、
前記ねじ山部の所定位置には前記ねじ山部の各ねじ山の前記軸部の中心線に対する角度と異なる角度の切り削りねじ山を持つことを特徴とするねじ。
【請求項２】
前記切り削りねじ山は、前記軸部の下端の円錐形部に設置され、前記円錐形部の尖端に達していないことを特徴とする請求項１に記載のねじ。
【請求項３】
前記切り削りねじ山は、前記軸部の前記円錐形部に設置され、前記円錐形部の前記尖端まで伸びていることを特徴とする請求項１に記載のねじ。
【請求項４】
前記切り削りねじ山は、前記ねじ山部の予定位置で前記ねじ山部の各ねじの前記軸部の中心線に対する角度と異なる角度に形成されることを特徴とする請求項１に記載のねじ。
【請求項５】
前記軸部には、直径が大きい高ねじ山部と直径が小さい低ねじ山部とが交互に配置されていることを特徴とする請求項１に記載のねじ。
【請求項６】
前記軸部には、直径が大きい高ねじ山部と直径が小さい低ねじ山部とが交叉に配置され、前記低ねじ山部の予定位置には前記低ねじ山部の各ねじの前記軸部の中心線に対する角度と異なる角度を持つ切り削りねじ山が設置されていることを特徴とする請求項１に記載のねじ。
【請求項７】
前記軸部には直径が同じ二組のねじ山部が交互に配置され、両ねじ山部の予定位置には前記両ねじ山部の各ねじ山部の前記軸部の中心線に対する角度と異なる角度を持つ各切り削りねじ山が形成されていることを特徴とする請求項１に記載のねじ。
【考案の詳細な説明】
【技術分野】
【０００１】
本考案は、ねじに関するものである。
【背景技術】
【０００２】
従来のねじは、使用対象物の材質によりその構造が異なって、色々さまざまであり、その目的は対象物にねじこむ動作が迅速にできることと共に固定した時の効果を良くすることにある。ねじこむ時に排泄される切り屑が順調に進むか否かは、ねじこみ速度とねじまわすトークの大小に大きな影響がある。ねじ山の構造が切り屑の排泄を順調にすることができれば、ねじこむ速度は速くなり、必要なトークも少なくすみ、さもなければ対象物の抗力は大きくねじこみ速度がおそくなり、必要なトークも大きくなる。
【考案の開示】
【考案が解決しようとする課題】
【０００３】
本考案は、対象物の切り屑の排泄に必要な普通のねじ山の構造と異なる設計をし、ねじが受ける抵抗をできるだけ少なくし、孔あけとねじこみ速度をできるだけ速くし、必要なトークをできるだけ小さくするねじ山の構造を持つねじを提供する。
【課題を解決するための手段】
【０００４】
本考案のねじは、軸部に一種のねじ山部或いは二種の直径が異なるねじ山部を形成し、この一種の又は二種のねじ山部の予定位置には好ましくは軸部の下部の円錐形部に前記ねじ山部の各ねじ山の軸部中心線に対する角度をより狭くした鋭角の切り削りねじ山を形成し、ねじが対象物にねじ込まれる時に受ける抗力をできるだけ少なくし、ねじが対象物にねじ込まれる速度を早くすると共に切り屑が順調に排泄されるようにする。
【考案を実施するための最良の形態】
【０００５】
本考案のねじの第一実施例は、図１に示すとおり、ねじ１は軸部１０と頭部とを持ち、軸部１０の下端部には円錐形部１１を形成し、ねじ山部２を円錐形部１１の上方に形成し、円錐形部１１には切り削りねじ山２１を持ち、この切り削りねじ山２１は上部のねじ山部２と連続するが、その軸部中心線に対する角度はねじ山部２の各ねじ山の角度と異なり、軸１０の中心線に対し狭い鋭角を形成すると共に、尖端１２まで伸びなくても良く又は伸びても良い。このねじ１は、切り削りねじ山２１の作用により、対象物に先に孔をあけねじ付ける速度を速くできる。
【０００６】
本考案のねじの第二実施例は、図２に示すとおり、軸部１０と頭部とを持ち、軸部１０にはねじ山部２と切り削りねじ山２１とをねじ山部２のほぼ中間部に設け、この切り削りねじ山２１の軸部１０の中心線に対する角度はねじ山部２の各ねじ山の角度よりも更に狭くなった鋭角を形成し、第二実施例のねじ１はこの切り削りねじ山２１の作用により、対象物に孔をあける速度を速くさせるほか、切り屑の排泄を順調にさせる。
【０００７】
本考案のねじの第三実施例と第四実施例は、図３と図４に示すとおり、ねじ１は軸部１０と頭部とを持ち、軸部１０には直径が大きい高ねじ山部２と直径が小さい低ねじ山部３とを交互に配置して設置し、更に軸部１０の下端には円錐形部１１が形成され、この円錐形部１１には低ねじ山部３の下末端と連接する切り削りねじ山３１が設置される。この切り削りねじ山３１の軸１０の中心線に対する角度は、低ねじ山部３の角度よりもより狭い鋭角にし、且つ尖端１２まで伸びないようにする。低ねじ山部３は切り削る作用を持ち、ねじ１は高低両ねじ山による二重のねじこみの力を持ち、切り削り孔あけ及び切り屑排泄に効能がある。
【０００８】
本考案のねじの第五実施例は、図５に示すとおり、ねじ１は軸部１０と頭部とがあり、軸部１０には直径が大きい高ねじ山部２と直径が小さい低ねじ山部３とが交互に配置されて設置され、軸部１０の下端部には円錐形部１１があり、この円錐形部１１には切り削りねじ山３１を設置している。この切り削りねじ山３１は上方の低ねじ山３と連接し、その軸１０の中心線に対する角度は低ねじ山部３のねじの角度より狭くなった鋭角となっているほか、円錐形部１１の尖端１２まで伸びている。低ねじ山部３は切り削り、孔あけ、及び切り屑の排泄の作用があり、ねじ１は高低両ねじ山部の二重のねじこみの力を持ち、切り削り、孔あけ、及び切り屑排泄に効能がある。
【０００９】
本考案のねじの第六実施例は、図６に示すとおり、軸部１０と頭部とを持ち、軸部１０には直径が同じねじ山部２とねじ山部２Ａとが交互に配置して設置され、更に軸部１０の下端には円錐形部１１が形成され、ねじ山部２とねじ山部２Ａはこの円錐形部まで伸びている。しかし、円錐形部１１にあるねじ山部２とねじ山部２Ａとの切り削りねじ山２１と切り削りねじ山２１Ａは、共に軸部１０の中心線に対する角度がねじ山部２とねじ山部２Ａとその他のねじ山の角度より狭い鋭角になっており、更に円錐形部１１の尖端１２まで伸びている。このねじ１は孔あけが速く、且つ屑排泄も順調にできる。
【００１０】
本考案のねじの第七実施例は、図７に示すとおり、ねじ１は軸部１０と頭部とを持ち、軸部１０の下端は円錐形部１１となり、軸部１０にはその直径が同じねじ山部２とねじ山部２Ａとが交互に配置して設置され、更にねじ山部２とねじ山部２Ａとは共に円錐形部１１まで伸びている。しかし、円錐形部１１にあるねじ山部２とねじ山部２Ａとのねじ山には２切り削りねじ山２１と切り削りねじ山２１Ａとを形成し、この切り削りねじ山２１と切り削りねじ山２１Ａの軸部１０の中心線に対する角度はその他のねじ山の角度よりも狭い鋭角になっている。更にこの切り削りねじ山２１と切り削りねじ山２１Ａは円錐形部１１の尖端１２まで伸びている。このねじ１は、対象物の中にねじこむ時の孔あけが速く、且つ切り屑の排泄も順調にできる。
【００１１】
（考案の効果）
本考案のねじは次の効果がある。
１．ねじ山は対象物の中にねじこむ時、切り削り、孔あけ、及び切り屑の排泄とを順調にできる。
２．切り削りねじ山を持っているため、対象物にねじこんだあとは比較的優良な功進力がある。
３．構造が精密簡単で、実用性に優れ、その効能と産業利用性と経済効益とを高める。
【図面の簡単な説明】
【００１２】
【図１】本考案の第一実施例によるねじを示す側面図である。
【図２】本考案の第二実施例によるねじを示す側面図である。
【図３】本考案の第三実施例によるねじを示す側面図である。
【図４】本考案の第四実施例によるねじを示す側面図である。
【図５】本考案の第五実施例によるねじを示す側面図である。
【図６】本考案の第六実施例によるねじを示す側面図である。
【図７】本考案の第七実施例によるねじを示す側面図である。
【符号の説明】
【００１３】
１：ねじ、１０：軸部、１１：円錐形部、１２：尖端、２：ねじ山部、２１：切り削りねじ山、３：低ねじ山部、３１：切り削りねじ山、２Ａ：ねじ山部、２１Ａ：切り削りねじ山
【図１】
0003129477.tif 000003
【図２】
0003129477.tif 000004
【図３】
0003129477.tif 000005
【図４】
0003129477.tif 000006
【図５】
0003129477.tif 000007
【図６】
0003129477.tif 000008
【図７】
0003129477.tif 000009